(57)【要約】【課題】割りピンの被取付部材（第２の部材）から簡単かつ確実に引き抜くことを可能とする。【解決手段】割りピン３０は、平行に延びる一対の脚部３０ｂ，３０ｃと、一対の脚部３０ｂ，３０ｃの一端部同士を接続する頭部３０ａとから構成される。一対の脚部３０ｂ，３０ｃの略中央部には、脚部３０ｂ，３０ｃの軸方向を中心として略９０°ねじれたねじれ部が設けられる。割りピン３０をコッターピン２４に取り付ける場合、割りピン３０の頭部３０ａは、脚部３０ｂ，３０ｃに設けたねじれ部３０ｄにより、その把持面３０ｘが突出片２２ｂの側壁面２２２ｂに対して略垂直（起立）した状態となる。これにより、割りピン３０の頭部３０ａを確実かつ簡易にペンチ等の治具により把持することができる。【選択図】図４
2009150519.tif 000002
【特許請求の範囲】
【請求項１】
平行に延びる一対の脚部と、前記一対の脚部の一端部同士を接続する頭部とを有し、第１の部材に穿設された孔に前記一対の脚部を挿通し、前記孔から延出した前記一対の脚部の他端部のそれぞれを開脚することで、前記第１の部材を第２の部材に固定するための割りピンであって、
前記一対の脚部は、当該一対の脚部のそれぞれの軸の周方向に捻転したねじれ部を有し、当該ねじれ部を介して前記頭部を把持するための把持面と前記脚部を開閉する際の開閉面とを交差させるようにした
ことを特徴とする割りピン。
【請求項２】
前記頭部の外径は、少なくとも前記第１の部材の前記孔の孔径よりも大きく形成され、
前記頭部は、
前記一対の脚部のうち一方の脚部の延在方向に沿うようにして延びる平坦部と、
前記一対の脚部のうち他方の脚部の延在方向に対して外方向に突出した突出部とから構成される
ことを特徴とする請求項１に記載の割りピン。
【発明の詳細な説明】
【技術分野】
【０００１】
本願発明は、割りピンに関し、詳細には、一対の脚部にねじれ部を設け、このねじれ部を介して頭部を把持するための把持面と脚部を開閉する際の開閉面とを交差させることで、割りピンの挿脱の際に割りピンの頭部をペンチ等により確実に把持できるようにしたものである。
【背景技術】
【０００２】
一般に、部品の緩み止めや回り止め、脱落を防止する金具として割りピンが利用されている。例えば、特許文献１には、ボーススタッドに取り付けられるナットの脱落を防止する手段として割りピンを用いた例が記載されている。また、他の用途としては、複数の懸垂碍子を直列に連結して碍子連を構成する際に広く利用される。
【０００３】
以下に、懸垂碍子の構成について説明する。図１２（Ａ）および図１２（Ｂ）に示すように、懸垂碍子１００は、図示しない碍子本体と、碍子本体の外周面にセメントを介して取り付けられたキャップ部１１６と、碍子本体の内周面にセメントを介して取り付けられた図示しないピン部とから構成される。キャップ部１１６の上端部には、連結部として機能する一対の突出片１２２ａ，１２２ｂからなるクレビス部１２２が設けられている。クレビス部１２２には、図示しない他の懸垂碍子のピン部に連結されるコッターピン１２４が挿通される。コッターピン１２４に穿設されたピン用孔１２８には割りピン１３０が挿し込まれ、ピン用孔１２８から延出した割りピン１３０の先端部が外方向に折り曲げられる。
【０００４】
このような構成により、コッターピン１２４に抜け方向の力が作用した場合でも、コッターピン１２４に取り付けられた割りピン１３０によりクレビス部１２２を係止させることで、コッターピン１２４のクレビス部１２２からの脱落を防止している。
【０００５】
【特許文献１】登録実用新案３１２２９５５号公報
【発明の開示】
【発明が解決しようとする課題】
【０００６】
ところで、連結された複数の懸垂碍子（碍子連）のうち何れかの懸垂碍子が破損等した場合には、この破損した懸垂碍子を新しい懸垂碍子に交換する必要がある。この場合には、コッターピンから割りピンを引き抜いた後に、コッターピンをクレビス部から引き抜いて破損した懸垂碍子を取り外し、新しい懸垂碍子に交換している。
【０００７】
しかし、上述した割りピンの引き抜き作業においては、クレビス部の突出片が障害となってしまい、割りピンの引き抜き作業を効率的に行うことができない場合がある。一般に、コッターピン１２４をクレビス部１２２にガタなく連結するには、割りピン１３０を挿通した状態のとき、図１２（Ｂ）に示すように、クレビス部１２２を構成する一方の突出片１２２ｂの側壁面とピン用孔１２８までの間隔Ｗ１はできるだけ狭い方が好ましい。図示するように、間隔Ｗ１が非常に狭くなるため、割りピン１３０の脚部１３０ｂ、１３０ｃも図１２（Ａ）のように突出片１２２ｂの側壁面と平行するように開脚する必要がある。一方、一般的な割りピン１３０は、棒状の金属体をその略中央部でリング形状に折り返した頭部と、この頭部を介して平行かつ直線状に延びる一対の脚部とから構成され、脚部を開閉する際の開閉面と、ペンチ１５０等により把持するための頭部の把持面とは互いに同一平面となっている。そのため、図１２（Ａ）に示すように、脚部１３０ｂ，１３０ｃを突出片１２２ｂの側壁面と平行するように開脚すると、図１２（Ｂ）に示すように、頭部１３０ａの把持面も突出片１２２ｂの側壁面と平行するように取り付けられる。
【０００８】
割りピン１３０がこのような取り付け状態となっているために、上述した間隔Ｗ１がペンチ１５０等を差し込むことができないような狭さであるときには、ペンチ１５０で頭部１３０ａの把持面を挟むことができず、割りピン１３０の引き抜き作業が困難となってしまう。これにより、引き抜き作業を効率的に行うことができないという問題が発生する。
【０００９】
これは、上述した碍子連の連結部だけに限定されるものではなく、ねじの戻り、ピンの脱落などを防ぐために割りピンを用いるような箇所においても該当するものである。
【００１０】
そこで、本願発明は、上記課題に鑑みてなされたものであり、その目的は、割りピンを被取付部材（第２の部材）から簡単かつ確実に引き抜くことを可能とした割りピンを提供するものである。
【課題を解決するための手段】
【００１１】
本発明に係る割りピンは、上記課題を解決するために、平行に延びる一対の脚部と、一対の脚部の一端部同士を接続する頭部とを有し、第１の部材に穿設された孔に一対の脚部を挿通し、この孔から延出した一対の脚部の他端部のそれぞれを開脚することで、第１の部材を第２の部材に固定するための割りピンであって、一対の脚部は、一対の脚部のそれぞれの軸の周方向に捻転したねじれ部を有し、このねじれ部を介して頭部を把持するための把持面と脚部を開閉する際の開閉面とを交差させるようにしたことを特徴とするものである。
【００１２】
本発明において、頭部の把持面とは、割りピンを第１の部材の孔に対して挿脱する際に、割りピンの頭部をペンチ等の治具により把持するための面であり、本発明では割りピンを平面的に見たときの頭部の上面および下面を示している。また脚部の開閉面（開脚面）とは、一対の脚部を開閉したときのそれぞれの開閉方向を含んだ面を示している。
【００１３】
本発明では、脚部に設けられたねじれ部により、頭部の把持面と脚部の開閉面とが交差する。そのため、脚部の開閉面を第２の部材（本体）の側壁面に対して略平行となるように取り付けた場合、頭部の把持面は第２の部材の側壁面に対して非平行な姿勢となる。このように、割りピンの頭部は第２の部材の側壁面に対して所定角度で傾斜（直交を含む）した状態となるため、第２の部材の側壁面に阻害されることなく、頭部の把持面をペンチ等の治具で狭持できる。したがって、割りピンと第２の部材との間隔が近接していたとしても、第２の部材に阻害されることなく、割りピンの取り外しを行うことができる。
【発明の効果】
【００１４】
本発明によれば、ねじれ部を有する割りピンを用いることで、頭部を第２の部材の側壁面に対して起立させた状態で取り付けることができる。そのため、割りピンを第１の部材から挿脱する際に、割りピンの頭部を確実かつ簡易にペンチ等の治具により把持することができる。その結果、割りピンの挿脱作業の効率化および作業時間の短縮化を図ることができる。
【発明を実施するための最良の形態】
【００１５】
［第１の実施の形態］
以下、本発明の実施の形態について図面を参照して説明する。まず、本発明に係る割りピン３０が使用される懸垂碍子１０の構成について説明する。図１は懸垂碍子１０の構成を示す斜視図である。図２（Ａ）および図２（Ｂ）は懸垂碍子１０の構成を示す正面図である。図３は懸垂碍子１０の構成を示す断面図である。
【００１６】
図１〜図３に示すように、懸垂碍子１０は、電線とその支持物（電柱・鉄塔など）との間を絶縁するために用いられる器具であり、例えば磁器製の絶縁材料からなる。懸垂碍子１０は、図３に示すように、碍子本体４０と、碍子本体４０の外周面に取り付けられるキャップ部１６と、碍子本体４０の内周面に取り付けられるピン部１８とから構成される。
【００１７】
碍子本体４０は、上端が閉塞されると共に下端が開口された円筒状をなす本体部１４と、本体部１４の下端部に一体形成された円盤状をなす笠部１２とを有する。笠部１２の下面には、その下方に環状に突出した複数のリブ３２が同心円状にパターン形成されている。
【００１８】
ピン部１８は、本体部１４の内周面に例えばセメント等の固着部材２０を介して取り付けられる。このピン部１８は笠部１２から下方に突出しており、ピン部１８の下端部には他の懸垂碍子に連結するための連結孔が穿設される。
【００１９】
キャップ部１６は、本体部１４の外周面を覆うような形状（鐘状）をなし、本体部１４の外周面に例えばセメント等の固着部材２１を介して取り付けられる。キャップ部１６の上端部には、これと一体的に他の懸垂碍子等と連結するための連結部として機能するクレビス部２２が設けられる。クレビス部２２は、上述した第２の部材に対応し、キャップ部１６から上方に突出した直方体状をなす突出片２２ａ，２２ｂから構成され、所定間隔を隔てて平行に立設されている。
【００２０】
突出片２２ａ，２２ｂのそれぞれには、図３に示すように、対向した位置に厚さ方向に貫通する挿通孔２６，２６が穿設される。これらの挿通孔２６，２６には円柱状をなす第１の部材であるこの例ではコッターピン２４が挿し込まれる。
【００２１】
コッターピン２４の一端には（割りピン３０が挿し込まれる端部とは反対側の端部）、挿通孔２６の孔径よりも拡径された拡径部２４ａが設けられ、クレビス部２２から脱落しないように構成される。拡径部２４ａにはナットを用いても良い。このコッターピン２４は図示しない他の懸垂碍子のピン部を連結するための連結体として機能する。突出片２２ｂから延出したコッターピン２４の一端部には、割りピンを挿入するための割りピン用孔２８が穿説される。この割りピン用孔２８は、コッターピン２４の断面径方向に貫通するように穿設される。割りピン用孔２８にはコッターピン２４の抜け止め用の割りピン３０が挿し込まれる。これにより、コッターピン２４に風等による抜き方向（長さ方向）の力が作用したとしても、コッターピン２４が割りピン３０によって係止され、コッターピン２４がクレビス部２２から抜け落ちることはない。
【００２２】
次に、本発明に適用される割りピン３０の構成について説明する。図４（Ａ）は脚部３０ｃ，３０ｄが閉じた状態の割りピン３０の構成を示す斜視図であり、図４（Ｂ）はその上面図であり、図４（Ｃ）はその側面図である。図５（Ａ）は脚部３０ｃ，３０ｄが開いた状態の割りピン３０の構成を示す斜視図であり、図５（Ｂ）はその上面図であり、図５（Ｃ）はその側面図である。
【００２３】
図４（Ａ）〜図４（Ｃ）に示すように、割りピン３０は、平行に延びる一対の脚部３０ｂ，３０ｃと、一対の脚部３０ｂ，３０ｃの一端部同士を連結する頭部３０ａとから構成される。本例では、鋼等の金属材料からなる棒状部材をその長手方向の略中央部で折り返すことで、脚部３０ｂ，３０ｃおよび頭部３０ａが一体形成された割りピン３０を形成している。頭部３０ａは棒状部材の折返し部分に対応する。
【００２４】
頭部３０ａは、この例では環状をなし、その外径Ｄ１が少なくともコッターピン２４の割りピン用孔２８の孔径Ｄ２よりも大きくなるように形成され（図６（Ａ）参照）、頭部３０ａが割りピン用孔２８から脱落しないような構成となっている。この頭部３０ａの形状は、割りピン用孔２８の開口径よりも大きい外径を有していれば環状形状に限定されることはない。また本例では、図４（Ａ）に示すように、頭部３０ａの上面および下面（平面）をペンチ等の治具によって把持される把持面３０ｘとしている。この把持面３０ｘは水平方向に平行な面である。
【００２５】
脚部３０ｂ，３０ｃは、図４（Ａ）および図５（Ａ）に示すように、脚部３０ｂ，３０ｃの先端部のそれぞれを折り曲げて開いたり、折り曲げた脚部３０ｂ，３０ｃをもとの状態に戻して閉じたりすることができる開閉（開脚、閉脚）可能な構成である。本例では、脚部３０ｂ，３０ｃのそれぞれの開閉方向Ｙ１，Ｙ２を含む面を開閉面３０ｙとしている。この開閉面３０ｙは鉛直方向と平行な面である。また脚部３０ｂ，３０ｃは、その先端部の折り曲げ部分を確保するため、少なくとも割りピン用孔２８の長さ方向の長さよりも長くなるように選定される（図１等参照）。なお、本例では脚部３０ｂ、３０ｃの断面形状を矩形状としたがこれに限定されることはなく、例えば断面形状を半円形状とし、脚部３０ｂ，３０ｃの平坦面同士を対向させるようにして割りピン３０を構成しても良い。
【００２６】
また脚部３０ｂ，３０ｃは、その長手方向の略中央部に、図４に示すように、脚部３０ｂ，３０ｃの軸心（長手）の周方向に９０°ねじれ回転（捻転）させたねじれ部３０ｄを有する。このねじれ部３０ｄを境界として、割りピン３０の後端側（頭部３０ａ側）では把持面（挟時面）３０ｘと脚部３０ｂ，３０ｃが並行になり、先端側では把持面３０ｘと脚部３０ｂ，３０ｃとは略垂直となる。そのため、脚部３０ｂ，３０ｃを開閉するときの開閉面３０ｙと把持面３０ｘ（平面）とはほぼ直交した状態となる。
【００２７】
なお、本例では、割りピン３０の脚部３０ｂ、３０ｃのねじり角度をほぼ９０°としたがこれに限定されることはなく、脚部３０ｂ、３０ｃの先端側の開閉面３０ｙと頭部３０ａの把持面３０ｘとが交差するような角度であれば差し支えない。
【００２８】
次に、上述した割りピン３０をコッターピン２４に取り付けた場合の割りピン３０の頭部３０ａと突出片２２ｂとの位置関係について説明する。図６（Ａ）は割りピン３０と突出片２２ｂとの位置関係を示す上面図であり、図６（Ｂ）はその側面図である。なお、図６（Ａ）に示すピン用孔２８と突出片２２ｂの側壁面２２２ｂとの間の間隔Ｗ２は、コッターピン２４をクレビス部２２にガタなく連結させることが可能な間隔とする。
【００２９】
図６（Ａ）および図６（Ｂ）に示すように、割りピン３０の脚部３０ｂ，３０ｃは、突出片２２ｂの側壁面２２２ｂに接触しないように、その開閉面３０ｙが突出片２２ｂの側壁面２２２ｂに対して略平行（交差）するように開脚される。このとき、頭部３０ａは、脚部３０ｂ，３０ｃに設けたねじれ部３０ｄにより、その把持面３０ｘが突出片２２ｂの側壁面２２２ｂに対して略直交（起立）した状態となる。
【００３０】
このように、本例では、頭部３０ａを突出片２２ｂの側壁面２２２ｂに対して略垂直となるように取り付けることで、頭部３０ａの把持面３０ｘが突出片２２ｂの側壁面２２２ｂと対峙しないようにする。なお、一対の脚部３０ｂ，３０ｃを開脚することで、割りピン３０が多少回転しても、脚部３０ｂ，３０ｃのそれぞれの先端部が側壁面２２２ｂに当接するので、それ以上は回転しない。
【００３１】
図７、図８および図９は、割りピン３０をコッターピン２４に取り付ける場合の動作を示す図である。なお、割りピン３０をコッターピン２４から取り外す場合の動作は、取り付ける場合の動作と逆の順番の動作（図９→図８→図７）であるため図面を省略する。
【００３２】
まず、図７に示すように、例えばペンチ５０等により割りピン３０の頭部３０ａ（把持面３０ｘ）を把持する。そして、図８に示すように、割りピン３０の脚部３０ｂ、３０ｃの先端部側からコッターピン２４の割りピン用孔２８に挿し込み、頭部３０ａがコッターピン２４の割りピン用孔２８の開口端縁部に当接するまで押し込む。このとき、頭部３０ａの把持面３０ｘが突出片２２ｂの側壁面２２２ｂに対して略垂直（起立姿勢）となるように、割りピン３０を傾けてコッターピン２４に挿し込む。これにより、脚部３０ｂ，３０ｃの厚さ方向の長さは割りピン用孔２８の内径と略同一であるため、割りピン３０は挿し込んだ傾き状態（姿勢）で保持される。
【００３３】
次に、図９に示すように、コッターピン２４の割りピン用孔２８から突出した脚部３０ｂ、３０ｃの先端部を、ペンチ５０を用いて突出片２２ｂの側壁面２２２ｂに対して平行（外方向）となるように折り曲げて開脚する。脚部３０ｂ、３０ｃは、コッターピン２４の周方向に巻き付けるようにしても良い。
【００３４】
これにより、割りピン３０の折り曲げられた脚部３０ｂ、３０ｃおよび頭部３０ａにより割りピン３０のコッターピン２４からの抜けが防止される。さらに、コッターピン２４に抜き方向（長さ方向）の力が作用したとしても、割りピン３０の折り曲げられた脚部３０ｂ、３０ｃおよび頭部３０ａによりコッターピン２４が係止されるため、コッターピン２４がクレビス部２２から抜け落ちるのを防止できる。
【００３５】
次に、懸垂碍子１０の破損等した場合には、この懸垂碍子１０を新たな別の懸垂碍子１０と交換する。まず、割りピン３０の折り曲げられた脚部３０ｂ、３０ｃをペンチ等を用いて元の閉じた状態（開脚）に戻す。そして、図８に示すように割りピン３０の後端側の頭部３０ａをペンチ５０で把持して、図７に示すように割りピン３０をコッターピン２４から引き抜く。頭部３０ａは、突出片２２ｂの側壁面２２２ｂに対して略垂直に傾けられた姿勢で取り付けられているため、側壁面２２２ｂに阻害されることなく、容易に頭部３０ａをペンチ５０により把持できる。このようにしてコッターピン２４から引き抜いた割りピン３０は、新たな懸垂碍子を取り付ける際に再利用することができる。
【００３６】
以上説明したように、本実施の形態に係る割りピン３０では、脚部３０ｂ，３０ｃに設けられたねじれ部３０ｄにより、頭部３０ａの把持面３０ｘと脚部３０ｂ，３０ｃの開閉面３０ｙとが交差している。そのため、脚部３０ｂ，３０ｃの開閉面３０ｙをクレビス部２２の突出片２２ｂの側壁面２２２ｂに対して略平行となるように取り付けた場合、頭部３０ａの把持面３０ｘは突出片２２ｂの側壁面２２２ｂに対して略直交した（起立した）姿勢となる。これにより、頭部３０ａの把持面３０ｘと突出片２２ｂとの間隔を広く確保することができ、換言すれば、把持面３０ｘを対峙する側壁面２２２ｂがなくなるため、ペンチ５０等の治具を挿入するための空間部を十分に確保できる。したがって、例えば、割りピン用孔２８と突出片２２ｂとの間隔Ｗ２が近接しているような取付箇所であっても（図６（Ａ）参照）、この突出片２２ｂが障害となることなく、割りピン３０の頭部３０ａを確実かつ簡易に把持することができる。その結果、割りピン３０の挿脱作業の効率化および作業時間の短縮を図ることができる。
【００３７】
［第２の実施の形態］
以下、本発明の第２の実施の形態について図面を参照して説明する。なお、上述した第１の実施の形態と共通する構成要素には同一の符号を付し、詳細な説明は省略する。図１０は本実施の形態に適用される割りピン３０の構成を示す斜視図である。
【００３８】
割りピン３０の頭部３０ａは、一方の脚部３０ｂの延在方向に沿うようにして直線状に延びる平坦部３０ｆと、他方の脚部３０ｃの延在方向に対して直交する方向（外方向）に半円形状に突出した突出部３０ｅとから構成される。つまり、本例では、割りピン３０の頭部３０ａの形状が左右非対称に形成されており、脚部３０ｂおよび平坦部３０ｆ側が平坦面となっている。また、頭部３０ａの外径Ｄ３は、コッターピン２４の挿通孔２８の孔径Ｄ４よりも大きくなるように選定される（図１１（Ａ）参照）。これにより、割りピン３０のコッターピン２４からの脱落が防止される。なお、脚部３０ｂ，３０ｃを開いた状態は、上述した図５（Ａ）で示した脚部３０ｂ，３０ｃの開脚状態と同様である。
【００３９】
次に、本実施の形態に係る割りピン３０をコッターピン２４に取り付けた場合の割りピン３０と突出片２２ｂとの位置関係について説明する。図１１（Ａ）は割りピン３０と突出片２２ｂとの位置関係を示す上面図であり、図１１（Ｂ）はその側面図である。本例では、図１１（Ａ）で示す割りピン用孔２８とクレビス部２２の突出片２２ｂとの間隔Ｗ３が、第１の実施の形態で説明した場合の間隔Ｗ２（図６（Ａ）参照）よりも近接している場合について説明する。
【００４０】
図１１（Ａ）および図１１（Ｂ）に示すように、割りピン３０の脚部３０ｂ，３０ｃは、突出片２２ｂの側壁面２２２ｂに接触しないように、その開閉面３０ｙが突出片２２ｂの側壁面２２２ｂに対して略平行（交差）になるように取り付けられる。一方、頭部３０ａでは、脚部３０ｂ，３０ｃに設けたねじれ部３０ｄにより、その把持面３０ｘが突出片２２ｂの側壁面２２２ｂに対して略直交した（起立）した状態となる。
【００４１】
また、割りピン３０をコッターピン２４に取り付ける場合には、頭部３０ａの平坦部３０ｆ側が突出片２２ｂの側壁面２２２ｂに対向した状態となるように、割りピン３０の頭部３０ａを所定方向に傾けて挿通孔２８に挿し込む。このとき、拡径された突出部３０ｅの外周面が挿通孔２８の開口端縁部に当接するため、割りピン３０が挿通孔２８から脱落することはない。
【００４２】
本実施の形態によれば、平坦部３０ｆ側を突出片２２ｂに対向させて割りピン３０を取り付けることで、その平坦部３０ｆにより割りピン３０の頭部３０ａが障害となることもない。そのため、図１１（Ａ）に示すようなクレビス部２２の突出片２２ｂと割りピン用孔２８との隙間Ｗ３が狭い箇所であっても、割りピン３０を取り付けることが可能となる。さらには、上述した第１の実施の形態と同様に、頭部３０ａの突出部３０ｅは突出片２２ｂの側壁面２２２ｂに対して略垂直に傾けて取り付けられるため、ペンチ５０により頭部３０ａを確実に把持することができる。その結果、割りピン３０の挿脱作業の効率化および作業時間の短縮を図ることができる。
【００４３】
なお、本発明の技術範囲は、上述した実施形態に限定されるものではなく、本発明の趣旨を逸脱しない範囲において、上述した実施形態に種々の変更を加えたものを含む。
【００４４】
例えば、上述した第１および第２の実施の形態では、本発明に係る割りピン３０を懸垂碍子１０の連結部に使用した例を説明したが、これに限定されることはない。例えば、ねじの戻り、ピンの脱落などを防ぐために割りピンを用いるような箇所であって、上述したような割りピンと他の部材との間隔が狭いような箇所においても、本発明に係る割りピン３０を適用することができる。
【００４５】
また、上述した第１および第２の実施の形態では、割りピン３０をペンチ等により手動でコッターピン２４に挿入したり、引き抜いたりしていたが、これに代えて、割りピン挿着装置などを用いて自動的に行っても良い。
【産業上の利用可能性】
【００４６】
本発明は、懸垂碍子同士を直列に連結して碍子連を構成する際に好適に利用できる。
【図面の簡単な説明】
【００４７】
【図１】本発明の一実施形態に係る懸垂碍子の構成を示す斜視図である。
【図２】懸垂碍子の構成を示す正面図である。
【図３】懸垂碍子の構成を示す断面図である。
【図４】脚部が閉じた状態の割りピンの構成を示す図である。
【図５】脚部が開いた状態の割りピンの構成を示す図である。
【図６】割りピンとクレビス部との位置関係を示す図である。
【図７】割りピンをコッターピンに取り付ける際の動作を示す図である（その１）。
【図８】割りピンをコッターピンに取り付ける際の動作を示す図である（その２）。
【図９】割りピンをコッターピンに取り付ける際の動作を示す図である（その３）。
【図１０】本発明の他の実施形態に係る割りピンの構成を示す斜視図である。
【図１１】割りピンとクレビス部との位置関係を示す図である。
【図１２】従来の割りピンの構成を示す斜視図である。
【符号の説明】
【００４８】
１０…懸垂碍子、  １６…キャップ部、  １８…ピン部、  ２２…クレビス部、  ２２ａ…突出部、  ２２ｂ…突出部、  ２４…コッターピン、  ２６…挿通孔、  ２８…割りピン用孔、  ３０…割りピン、  ３０ａ…頭部、  ３０ｂ，３０ｃ…脚部、  ３０ｄ…ねじれ部、  ４０…碍子本体
【図１】
2009150519.tif 000003
【図２】
2009150519.tif 000004
【図３】
2009150519.tif 000005
【図４】
2009150519.tif 000006
【図５】
2009150519.tif 000007
【図６】
2009150519.tif 000008
【図７】
2009150519.tif 000009
【図８】
2009150519.tif 000010
【図９】
2009150519.tif 000011
【図１０】
2009150519.tif 000012
【図１１】
2009150519.tif 000013
【図１２】
2009150519.tif 000014